(57)【要約】      （修正有）【課題】観察者の人体を放射線から防護しつつ、観察者の周囲を視認する装置において、その装置の構成が簡素であり、かつ、安価に製造することができる放射線防護機能付き視認装置を提供する。【解決手段】人間Ｈ１を収容可能なコックピットＣＰ１と、上記コックピットＣＰ１をその前後、左右、上下の方向で囲み、少なくとも一部が透明材で構成されている第１の透明壁１０と、上記コップピットＣＰ１から見て上記第１の透明壁１０の外側に設けられ、上記第１の透明壁１０をその前後、左右、上下の方向で囲み、少なくとも一部が透明材で構成されている第２の透明壁２０と、上記第１の透明壁１０と上記第２の透明壁２０とを接続する接続手段ＣＮ１とを有し、第１、２の透明壁の間に充分な水Ｗ１を注入して使用する。【選択図】図１
2015132578.tif 000002
【特許請求の範囲】
【請求項１】
人間を収容可能なコックピットと；
上記コックピットをその前後、左右、上下の方向で囲み、少なくとも一部が透明材で構成されている第１の透明壁と；
上記コップピットから見て上記第１の透明壁の外側に設けられ、上記第１の透明壁をその前後、左右、上下の方向で囲み、少なくとも一部が透明材で構成されている第２の透明壁と；
上記第１の透明壁と上記第２の透明壁とを接続する接続手段と；
を有することを特徴とする放射線防護機能付き視認装置。
【請求項２】
請求項１において、
上記第１の透明壁と上記第２の透明壁との間は、水を収容するスペースであることを特徴とする放射線防護機能付き視認装置。
【請求項３】
請求項２において、
上記第１の透明壁と上記第２の透明壁との間に収容されている水の厚さは、その前後、左右、上下の全ての方向において、上記人間に放射線の影響が出ない程度の厚さであることを特徴とする放射線防護機能付き視認装置。
【請求項４】
請求項１において、
上記人間が上記放射線防護機能付き視認装置の外から、上記コップピットに出入りする開口が、上記第１の透明壁、上記第２の透明壁に設けられていることを特徴とする放射線防護機能付き視認装置。
【請求項５】
請求項１において、
上記第１の透明壁と上記第２の透明壁との間、または、上記第２の透明壁の外側に、他の透明壁が設けられていることを特徴とする放射線防護機能付き視認装置。
【請求項６】
請求項１において、
上記放射線防護機能付き視認装置をクレーンで引き揚げ、移動する際に、上記放射線防護機能付き視認装置と係合する係合手段が、上記放射線防護機能付き視認装置に設けられていることを特徴とする放射線防護機能付き視認装置。
【請求項７】
請求項１において、
上記放射線防護機能付き視認装置を移動するために走行する走行装置を有することを特徴とする放射線防護機能付き視認装置。
【発明の詳細な説明】
【技術分野】
【０００１】
本発明は、放射能汚染から観察者の人体を守りながら、その観察者の周囲を視認する装置に関する。
【背景技術】
【０００２】
従来、放射能汚染区域に人が進入する場合、その人が防護服を着用し、その人の胸等に線量計を取り付ける。そして、その人の周囲の放射線量が所定の値以上になると、線量計が警告音を発する。この警告音が発せられると、直ちに、その区域から退去する。この場合、着用している防護服の放射線に対する防護力はそれほど高くはない。
【０００３】
放射線に対する防護力を高くする場合、α線、β線、中性子線、Ｘ線、γ線の透過量を下げるために、ガドリニウム、硼素、リチウム、インジウムを含む放射線遮蔽素材を具備する放射線遮蔽機器が知られている（たとえば、特許文献１参照）。
【先行技術文献】
【特許文献】
【０００４】
【特許文献１】特開２００１−２４２２８８号公報
【発明の概要】
【発明が解決しようとする課題】
【０００５】
しかし、上記従来例では、ガドリニウム等の放射線遮蔽素材を、防護服内に均一に分布させることが困難であるので、放射線防護用衣料の製造が困難であるという問題がある。また、上記従来例では、放射線遮蔽素材が比較的高価であるので、放射線防護用衣料が高価であるという問題がある。
【０００６】
本発明は、観察者の人体を放射線から防護しつつ、観察者の周囲を視認する装置において、その装置の構成が簡素であり、かつ、安価に製造することができる放射線防護機能付き視認装置を提供することを目的とする。
【課題を解決するための手段】
【０００７】
本発明の放射線防護機能付き視認装置は、人間を収容可能なコックピットと、上記コックピットをその前後、左右、上下の方向で囲み、少なくとも一部が透明材で構成されている第１の透明壁と、上記コップピットから見て上記第１の透明壁の外側に設けられ、上記第１の透明壁をその前後、左右、上下の方向で囲み、少なくとも一部が透明材で構成されている第２の透明壁と、上記第１の透明壁と上記第２の透明壁とを接続する接続手段とを有し、第１、２の透明壁の間に充分な水を注入して使用する。
【発明の効果】
【０００８】
本発明によれば、第１の透明壁と第２の透明壁との間に、充分な水を収容すれば、観察者の人体を放射線から防護することができ、また、その装置の構成が簡素であり、かつ、安価に製造することができるという効果を奏する。
【図面の簡単な説明】
【０００９】
【図１】本発明の実施例１である放射線防護機能付き視認装置１００を示す縦断面図である。
【図２】放射線防護機能付き視認装置１００を示す横断面図である。
【図３】実施例２である放射線防護機能付き視認装置２００を示す縦断面図である。
【図４】放射線防護機能付き視認装置２００を示す横断面図である。
【図５】実施例３である放射線防護機能付き視認装置３００を示す縦断面図である。
【図６】放射線防護機能付き視認装置３００を示す横断面図である。
【図７】実施例４である放射線防護機能付き視認装置４００を示す斜視図である。
【発明を実施するための形態】
【００１０】
発明を実施するための形態は、以下の実施例である。
【実施例１】
【００１１】
図１は、本発明の実施例１である放射線防護機能付き視認装置１００を示す縦断面図である。
【００１２】
図２は、放射線防護機能付き視認装置１００を示す横断面図である。
【００１３】
放射線防護機能付き視認装置１００は、コックピットＣＰ１と、第１の透明壁１０と、第２の透明壁２０と、接続手段ＣＮ１と、開閉ブロックＢ１とを有する。
【００１４】
コックピットＣＰ１は、観察者である人間Ｈ１を収容可能な領域である。
【００１５】
第１の透明壁１０は、コップピットＣＰ１を囲み、強化プラスチック等の透明材で構成されている。
【００１６】
第２の透明壁２０は、コップピットＣＰ１から見て第１の透明壁１０の外側に設けられ、強化プラスチック等の透明材で構成されている。
【００１７】
接続手段ＣＮ１は、第１の透明壁１０と第２の透明壁２０とを接続し、両者の間隔を一定に維持する手段である。
【００１８】
視認装置１００を使用する場合、第１の透明壁１０と第２の透明壁２０との間に水Ｗ１が収容される。つまり、第１の透明壁１０と第２の透明壁２０との間は、水Ｗ１を収容するスペースである。
【００１９】
なお、第１の透明壁１０と第２の透明壁２０との間に収容される水Ｗ１の厚さは、人間Ｈ１に放射線の影響が出ない程度の厚さであり、少なくとも１ｍは必要である。また、第１の透明壁１０と第２の透明壁２０との間に収容されている水Ｗ１の厚さは、上下、左右、前後の全ての方向において、人間Ｈ１に放射線の影響が出ない程度の厚さである。
【００２０】
開閉ブロックＢ１は、人間Ｈ１が視認装置１００に出入りするに充分な穴ＨＬ１を埋めるブロックである。また、開閉ブロックＢ１は、第１の透明壁１０に対応する第１の透明壁１１と、第２の透明壁２０に対応する第２の透明壁２１とを有する。また、第１の透明壁１１と、第２の透明壁２１と、その他の壁とによって、水Ｗ１が開閉ブロックＢ１から漏れ出ないようにしている。
【００２１】
フックＦ１は、第２の透明壁２０の上部に設けられ、図示しないクレーンによって、視認装置１００を吊り上げたり、移動する場合に使用するクレーン等との係合手段の例である。
【００２２】
次に、実施例１の動作について説明する。
【００２３】
まず、人間Ｈ１がコップピットＣＰ１に存在していない場合、視認装置１００には、水Ｗ１が収容されていない。また、開閉ブロックＢ１は、視認装置１００の穴ＨＬ１に嵌め込まれていない。ここで、人間Ｈ１が視認装置１００に入る場合、視認装置１００の穴ＨＬ１から、人間Ｈ１がコップピットＣＰ１に入り、開閉ブロックＢ１を穴ＨＬ１に嵌め込み、図示しない部位から水Ｗ１を注入する。これによって、コップピットＣＰ１の周囲が水Ｗ１で覆われる。なお、水Ｗ１を注入してから、人間Ｈ１がコップピットＣＰ１に入るようにしてもよい。
【００２４】
したがって、水Ｗ１によって、放射線が人間Ｈ１の人体へ進入することを阻止することができる。よって、コップピットＣＰ１内では、放射線を被ばくすることが少ない。
【００２５】
また、視認装置１００を移動するには、図示しないクレーンを使用する。すなわち、クレーンの先端部分に、フックＦ１を引っ掛け、フックＦ１を介して、視認装置１００を吊り上げ、所望の位置に移動する。
【００２６】
透明壁１０、２０に使用する強化プラスチックとして、板状、シート状のものを使用するようにしてもよく、強化プラスチック以外に、ガラス、プラスチック以外の合成樹脂を使用するようにしてもよい。
【００２７】
透明壁１０、２０は、全ての部位で透明である必要がなく、その一部が透明であれば足りる。
【００２８】
上記実施例において、開閉ブロックＢ１を除去し、第１の透明壁１０、第２の透明壁２０に、それぞれ開閉扉を設けるようにしてもよい。
【００２９】
なお、水Ｗ１の中に、ガドリニウム、硼素、リチウム、インジウム等を含む放射線遮蔽素材を混入するようにしてもよい。このようにすれば、水Ｗ１の厚みを少なくすることができる。
【実施例２】
【００３０】
図３は、本発明の実施例２である放射線防護機能付き視認装置２００を示す縦断面図である。
【００３１】
図４は、放射線防護機能付き視認装置２００を示す横断面図である。
【００３２】
放射線防護機能付き視認装置２００は、基本的には、放射線防護機能付き視認装置１００と同じであるが、第３の透明壁３０と、これに付随する部材が追加されている点が、放射線防護機能付き視認装置１００とは異なる。
【００３３】
第３の透明壁３０は、コックピットＣＰ１から見て、第２の透明壁２０の外側に設けられている透明壁である。接続手段ＣＮ２は、第２の透明壁２０と第３の透明壁３０とを接続する手段である。フックＦ２は、第３の透明壁３０の上部に設けられ、図示しないクレーンによって、視認装置２００を吊り上げたり、移動する場合に使用するクレーン等との係合手段の例である。
【００３４】
視認装置２００では、第２の透明壁２０または第３の透明壁３０が損傷した場合でも、残りの２つの壁によって、必要量の水を保持することができ、つまり、第２の壁２０、第３の透明壁３０は、放射線防護機能を確保する上で、視認装置２００の安全弁としての機能を有する。
【００３５】
視認装置２００は、第２の透明壁２０の外側に第３の透明壁３０を設けているが、第１の透明壁１０と第２の透明壁２０との間に、第３の透明壁３０を設けるようにしてもよい。
【００３６】
また、上記各実施例は、透明壁を２つまたは３つ設ける実施例であるが、同芯上に透明壁を４つ以上設け、これら透明壁の間に水を満たすようにしてもよい。
【実施例３】
【００３７】
図５は、本発明の実施例３である放射線防護機能付き視認装置３００を示す縦断面図である。
【００３８】
図６は、放射線防護機能付き視認装置３００を示す横断面図である。
【００３９】
視認装置３００は、基本的には、視認装置１００と同じであるが、全体の形状を立方体に変化させた点が、視認装置１００とは異なる。
【００４０】
つまり、視認装置３００は、コックピットＣＰ１ａと、第１の透明壁１０ａと、第２の透明壁２０ａと、接続手段ＣＮ１ａと、開閉ブロックＢ１ａとを有する。
【００４１】
コックピットＣＰ１ａ、第１の透明壁１０ａ、第２の透明壁２０ａ、接続手段ＣＮ１ａ、開閉ブロックＢ１ａは、立方体の形状を有する点以外は、それぞれ、第１の透明壁１０、第２の透明壁２０、接続手段ＣＮ１、開閉ブロックＢ１と同様である。
【００４２】
実施例３においても、観察者の人体を放射線から防護しつつ、観察者の周囲を視認する装置において、その装置の構成が簡素であり、かつ、安価に製造することができる。
【００４３】
実施例３において、透明壁１０ａ、２０ａの他に、同様の透明壁を追加し、透明壁を３重以上の構成にしてもよい。
【００４４】
実施例１、２は、その全体形状が球であり、実施例３は、その全体形状が立方体であるが、他の形状であってもよい。つまり、放射線防護機能付き視認装置の全体の形状が、直方体、三角柱、五角柱等の角柱、三角錐等の角錐、三角錐台等の角錐台、半円球であってもよい。
【実施例４】
【００４５】
図７は、本発明の実施例４である放射線防護機能付き視認装置４００を示す斜視図である。
【００４６】
放射線防護機能付き視認装置４００は、放射線防護機能付き視認装置１００を移動するために走行する走行装置Ｄ１を設けた実施例である。
【００４７】
走行装置Ｄ１は、図１に示す放射線防護機能付き視認装置１００を載置し、図示しないモータ、バッテリー、タイヤ、方向制御装置等を有する。バッテリーは、上記モータを駆動する電源であり、タイヤは、上記モータで駆動され、走行装置Ｄ１を駆動する。方向制御装置は、走行装置Ｄ１の進行方向を制御する。なお、人間Ｈ１は、リモコンＲ１を操作し、リモコンＲ１を介して、走行装置Ｄ１の進行方向、前進、後退、停止を制御する。リモコンＲ１は、無線または有線を介して、走行装置Ｄ１と接続される。
【００４８】
これによって、前進、後退、方向変更、停止を自由に制御することができる。
【００４９】
なお、走行装置Ｄ１の少なくとも一部を透明にすれば、人間Ｈ１は、自分から見て下の周囲状況を肉眼で視認することができる。
【００５０】
実施例２、３において、走行装置Ｄ１を設けるようにしてもよい。この場合、走行装置Ｄ１の少なくとも一部を透明にすれば、人間Ｈ１は、自分から見て下の周囲状況を肉眼で視認することができる。
【００５１】
上記各実施例を使用すれば、水中、特に放射能に汚染されている水の近傍またはその中でも、安全に作業することができる。つまり、放射能に汚染されている汚染水のうちで人体に影響が出る高濃度汚染水に人間が近づいて作業することは問題であり、また、その高濃度汚染水中で、通常の潜水服を着用して作業することも問題がある。しかし、上記実施例を使用すれば、高濃度汚染水の近くで作業しても安全であり、また、高濃度汚染水中で作業しても安全である。
【符号の説明】
【００５２】
１００、２００、３００、４００…放射線防護機能付き視認装置、
Ｈ１…人間、
ＣＰ１…コックピット、
１０…第１の透明壁、
２０…第２の透明壁、
３０…第３の透明壁、
Ｗ１、Ｗ２…水、
ＣＮ１、ＣＮ２…接続手段、
Ｂ１、Ｂ２…ブロック、
Ｄ１…走行装置、
Ｒ１…リモコン。
【図１】
2015132578.tif 000003
【図２】
2015132578.tif 000004
【図３】
2015132578.tif 000005
【図４】
2015132578.tif 000006
【図５】
2015132578.tif 000007
【図６】
2015132578.tif 000008
【図７】
2015132578.tif 000009